(57)【要約】【課題】電池収納部に庇部を形成するための孔部が形成されない電池収納構造を提供する。【解決手段】テープ印字装置１は、電池ケース５、上カバー２０１、及び下カバー２０２を備える。上カバー２０１及び下カバー２０２は、電池の収納に関する機能とは異なる機能を有する部材である。電池ケース５は、電池を収納可能である。電池ケース５は、電池装着面５１と周壁部５２とを備えている。周壁部５２は、正極端子５８１と負極端子５８２とを支持する。負極端子５８２の接触部５８３の後側には、周壁部５２の内側に突出する庇部２５が設けられている。庇部２５は上カバー２０１及び下カバー２０２に設けられている。【選択図】図８
2014232670.tif 000002
【特許請求の範囲】
【請求項１】
底面部と、前記底面部の周囲に立設されて前記底面部に対向する第一開口部を形成する周壁部とによって規定され、電池を収納可能な電池収納部と、
前記周壁部に支持され、前記電池収納部に収納される前記電池の電極に接触可能な接触部を有する電池端子と、
前記電池収納部とは別体で形成され、前記電池の収納に関する機能とは異なる機能を有する部材である機能部材と、
前記機能部材に設けられ、前記接触部に対して前記底面部から前記第一開口部に向かう第一方向側に位置し、前記第一方向と直交する第二方向において前記周壁部の内側に突出する庇部と
を備えたことを特徴とする電池収納構造。
【請求項２】
前記庇部は、前記第一方向に延びる第一壁部と、前記第一壁部の前記第一方向側の端部から前記第一壁部と直交して延びる第二壁部とを備えたことを特徴とする請求項１に記載の電池収納構造。
【請求項３】
前記周壁部は、前記第二方向に開口する第二開口部を備え、
前記庇部は、前記第二開口部に差し込まれて前記周壁部の内側に突出していることを特徴とする請求項１又は２に記載の電池収納構造。
【請求項４】
前記庇部は前記電池端子の前記第一方向側の端部に当接することを特徴とする請求項１から３のいずれかに記載の電池収納構造。
【請求項５】
前記機能部材は、印字媒体となるテープを収納するテープカセットが着脱されるカセット装着部を有する部材、又は、装置の外装壁を形成する部材であることを特徴とする請求項１から４のいずれかに記載の電池収納構造。
【発明の詳細な説明】
【技術分野】
【０００１】
本発明は、電池を収納するための電池収納構造に関する。
【背景技術】
【０００２】
従来、電池を収納するための電池収納構造が知られている。例えば、特許文献１に記載の電池収納構造は、電池収納部、電池固定部、及び端子部を備えている。電池収納部と電池固定部とは一体的に形成されている。電池収納部は、電池を収納するための箱体と、箱体に複数の電池を挿入するための開口部とを備える。電池固定部は、箱体における電池を支持する底面に対向して設けられる。電池が箱体に収納された場合、電池は箱体の底面と電池固定部との間に位置する。電池固定部は、箱体に電池が収納された場合に電池に接し、且つ、電池を固定する。一般的に、金型を用いた樹脂成形によって箱体の底面に対向して電池固定部を設ける場合、箱体の底面側から金型を入れて電池固定部を形成するため、箱体の底面に金型を配置するための孔部が形成される。
【０００３】
ところで、電池の正極と負極とが逆接続されることを防止するために、電池収納部の底面に対向して庇部を形成する電池収納構造が知られている。庇部は、電池端子より電池の着脱方向側に設けられる。庇部は、電池固定部を形成する場合と同様に、電池収納部の底面側から金型を入れて形成される。このため、底面側に金型を配置するための孔部が形成される。
【先行技術文献】
【特許文献】
【０００４】
【特許文献１】実開昭６３−６３８８９号公報
【発明の概要】
【発明が解決しようとする課題】
【０００５】
しかしながら、庇部を形成するために、電池収納部の底面側に金型を配置するための孔部が形成されると、電池収納部に液体が侵入した場合、又は電池が液漏れした場合に、孔部を通って液体が電池収納部以外の部位に漏れる場合がある。このため、例えば、電池収納部を有する装置の内部に液体が侵入し、電気回路が実装された基板等の部品に液体が接触する場合がある。
【０００６】
本発明の目的は、電池収納部に庇部を形成するための孔部が形成されない電池収納構造を提供することである。
【課題を解決するための手段】
【０００７】
本発明に係る電池収納構造は、底面部と、前記底面部の周囲に立設されて前記底面部に対向する第一開口部を形成する周壁部とによって規定され、電池を収納可能な電池収納部と、前記周壁部に支持され、前記電池収納部に収納される前記電池の電極に接触可能な接触部を有する電池端子と、前記電池収納部とは別体で形成され、前記電池の収納に関する機能とは異なる機能を有する部材である機能部材と、前記機能部材に設けられ、前記接触部に対して前記底面部から前記第一開口部に向かう第一方向側に位置し、前記第一方向と直交する第二方向において前記周壁部の内側に突出する庇部とを備えている。この場合、庇部を有する機能部材は、電池収納部とは別体で形成される。このため、庇部と電池収納部とは異なる金型で形成される。よって、電池収納部の底面部に庇部を形成するための孔部が形成されることを防止できる。故に、電池収納部に液体が侵入した場合に、液体が孔部を通って電池収納部以外の部位に漏れることを防止できる。
【０００８】
前記電池収納構造において、前記庇部は、前記第一方向に延びる第一壁部と、前記第一壁部の前記第一方向側の端部から前記第一壁部と直交して延びる第二壁部とを備えてもよい。電池の正極と負極とが逆になった状態で電池が電池装着部に挿入される場合、第一方向の反対方向側に向かって電池が移動する。このとき、電池が第二壁部に当たる。第一壁部は、第一方向側に延びているので、第一方向、及び第一方向の反対方向に力が加えられた場合の強度が強い。よって、第一壁部は電池が第二壁部に当たった場合に、第二壁部を支持することができる。故に、第一壁部が設けられていない場合に比べて、庇部の強度が強くなり、電池の正極と負極とが逆接続されることをより確実に防止できる。
【０００９】
前記電池収納構造において、前記周壁部は、前記第二方向に開口する第二開口部を備え、前記庇部は、前記第二開口部に差し込まれて前記周壁部の内側に突出してもよい。この場合、庇部が第二開口部に差し込まれることで、機能部材と電池収納部とを位置決めすることができる。よって、製造時の作業効率が向上する。
【００１０】
前記電池収納構造において、前記庇部は前記電池端子の前記第一方向側の端部に当接してもよい。この場合、電池端子を固定する部位を形成するための金型構造を省くことができ、金型を簡素化できる。また、庇部によって、電池端子が第一方向側に抜けることを防止できる。
【００１１】
前記電池収納構造において、前記機能部材は、印字媒体となるテープを収納するテープカセットが着脱されるカセット装着部を有する部材、又は、装置の外装壁を形成する部材であってもよい。この場合、カセット装着部又は外装壁と、庇部とを別体で形成する場合に比べて、コストダウンすることができる。
【図面の簡単な説明】
【００１２】
【図１】テープ印字装置１及びテープカセット３０の斜視図である。
【図２】テープカセット３０が装着されたカセット装着部８の平面図である。
【図３】上カバー２０１、下カバー２０２、及び電池ケース５の分解斜視図である。
【図４】電池８９が装着された状態のテープ印字装置１の背面図である。
【図５】電池ケース５を簡略化して示した背面図である。
【図６】上カバー２０１、下カバー２０２、及び電池ケース５の分解斜視図である。
【図７】テープ印字装置１の底面図である。
【図８】電池ケース５の周辺構造の斜視図である。
【図９】電池ケース５の周辺構造の斜視図である。
【図１０】変形例に係るテープ印字装置１０１の電池ケース５の周辺構造の斜視図である。
【発明を実施するための形態】
【００１３】
本発明を具体化した実施の形態について、図面を参照して説明する。本実施形態の説明では、図１の右下側、左上側、左下側、右上側、上側、下側を、それぞれテープ印字装置１及びテープカセット３０の前側、後側、左側、右側、上側、下側とする。なお、テープ印字装置１及びテープカセット３０の前後左右上下の方向は、便宜上定義されたものであり、テープ印字装置１及びテープカセット３０は、必ずしも、図１に示すように上側が上方を向いた姿勢にあるとは限らない。
【００１４】
本実施形態では、テープカセット３０に収納される各種テープ（例えば、感熱紙テープ、後述する印字テープ５７、両面粘着テープ、チューブテープ、フィルムテープ）を、総称してテープという。テープカセット３０に収納されるテープの種類（例えば、テープ幅、印字態様、テープの色、文字色など）を、総称してテープ種類という。
【００１５】
テープ印字装置１について説明する。図２において、カセット装着部８に装着されているテープカセット３０は、上ケース３１１が取り外された状態である。テープ印字装置１は、１台でサーマルタイプ、レセプタタイプ、ラミネートタイプ、チューブタイプ等、各種のテープカセットが使用可能な汎用のテープ印字装置である。サーマルタイプのテープカセットは、感熱紙テープを備えている。レセプタタイプのテープカセットは、印字テープとインクリボンとを備えている。ラミネートタイプのテープカセットは、両面粘着テープとフィルムテープとインクリボンとを備えている。チューブタイプのテープカセットは、熱収縮可能なチューブテープとインクリボンとを備えている。
【００１６】
図１及び図３に示すように、テープ印字装置１は、略直方体形状の本体カバー２を備えている。本体カバー２は、本体カバー２の上部を形成する上カバー２０１と下部を形成する下カバー２０２とを含む。上カバー２０１は、カセットカバー６（後述）が開かれた場合におけるテープ印字装置１の上部、及びテープ印字装置１の側面の外装壁を形成する。下カバー２０２は、テープ印字装置１の底面及び側面の外装壁を形成する。図１に示すように、本体カバー２前面には、テープ印字装置１の電源スイッチ等、テープ印字装置１を操作するための３つのスイッチ３が配置されている。テープ印字装置１の右面には、ＵＳＢ（Ｕｎｉｖｅｒｓａｌ  Ｓｅｒｉａｌ  Ｂｕｓ）ジャック（図示外）等が設けられている。テープ印字装置１は、ＵＳＢジャックに接続されたＵＳＢケーブル（図示外）等を介してパーソナルコンピュータ（図示外。以下、ＰＣという。）に接続される。テープ印字装置１はＰＣから送信されるキャラクタ（文字、数字、図形等）のデータに基づいて、テープにキャラクタの印字を行う。
【００１７】
テープ印字装置１の上面には、テープカセット３０の交換時に開閉されるカセットカバー６が設けられている。カセットカバー６は、平面視略長方形状の蓋部である。カセットカバー６は、本体カバー２の背面上方の左右両端部で軸支され、閉鎖位置（図示外）と、図１に示す開放位置との間で回動可能である。本体カバー２には、テープカセット３０を着脱可能な領域であるカセット装着部８が設けられている。カセット装着部８を形成する壁部は、上カバー２０１の一部である。カセット装着部８は、カセットカバー６が閉鎖位置にあるときに被覆され、カセットカバー６が開放位置にあるときに露出する。本体カバー２の左側面には、排出スリット１１１が設けられている。排出スリット１１１は、印字済みのテープをカセット装着部８から排出する。
【００１８】
カセットカバー６下の本体カバー２の構造について説明する。図１に示すように、カセット装着部８は、キャビティ８０、及び角支持面８３を含む。キャビティ８０は、カセットケース３１の底面３０２の形状と略対応するように凹設された凹部である。角支持面８３は、カセット装着部８の右後部、左後部、右前部に設けられている（図３参照）。角支持面８３は、キャビティ８０の外縁から水平に延びる平面である。
【００１９】
図１及び図２に示すように、カセット装着部８の前部には、ヘッドホルダ７４が立設されている。ヘッドホルダ７４は、左右方向に延びる１枚の板状部材で形成されている。ヘッドホルダ７４の前面には、発熱体（図示せず）を備えるサーマルヘッド１０（図２参照）が設けられている。ヘッドホルダ７４の後方には、リボン巻取軸９５が立設されている。リボン巻取軸９５は、テープカセット３０のリボン巻取スプール４４（図１参照）に着脱可能な軸体である。ヘッドホルダ７４の左方には、テープ駆動軸１００が立設されている。テープ駆動軸１００は、テープカセット３０のテープ駆動ローラ４６（図１参照）に着脱可能な軸体である。テープ駆動軸１００の右後方には、補助軸１１０が立設されている。補助軸１１０は、テープカセット３０の第一テープ支持孔６５（図１参照）に着脱可能な軸体である。右後部の角支持面８３の左側には、ガイド軸１２０が立設されている。ガイド軸１２０は、テープカセット３０のガイド孔４７（図２参照）に着脱可能な軸体である。カセット装着部８の下側には、ステッピングモータであるテープ駆動モータ（図示外）が配置されている。リボン巻取軸９５及びテープ駆動ローラ４６は、複数のギア（図示外）を介してテープ駆動モータに接続されており、テープ駆動モータの駆動に伴って回転する。この場合、テープカセット３０内のテープが搬送されながら、サーマルヘッド１０によって印字が行われ、排出スリット１１１から印字済みのテープが排出される。
【００２０】
図示しないが、ヘッドホルダ７４の前側には、左右方向に延びるアーム状のプラテンホルダが配置されている。プラテンホルダは、軸支部１２１を中心に揺動可能に軸支されている。プラテンホルダの左端部には、プラテンローラ及び可動搬送ローラが回転可能に軸支されている。プラテンローラは、サーマルヘッド１０に相対して、サーマルヘッド１０と接離可能である。可動搬送ローラは、テープ駆動軸１００に装着されているテープ駆動ローラ４６に相対して、テープ駆動ローラ４６と接離可能である。カセットカバー６が閉鎖されるとプラテンホルダ１２が印字位置に向けて移動する。印字位置では、プラテンホルダ１２がカセット装着部８に近接する。具体的には、レセプタタイプのテープカセット３０がカセット装着部８に装着されている場合、プラテンローラが印字テープ５７とインクリボン６０とを介してサーマルヘッド１０を押圧する。同時に、可動搬送ローラが印字テープ５７を介してテープ駆動ローラ４６を押圧する。印字位置では、テープ印字装置１がカセット装着部８に装着されているテープカセット３０を使用して印字を行うことが可能である。排出スリット１１１（図１参照）の右側には、カット機構（図示外）が設けられている。カット機構は、印字済みのテープを所定位置で切断する。
【００２１】
図３に示すように、テープ印字装置１の後部には、電池ケース５が配置されている。電池ケース５は、上カバー２０１と下カバー２０２との間に挟まれ、保持される。電池ケース５、上カバー２０１、及び下カバー２０２は何れも樹脂からなり、金型を用いた射出成型により形成される。電池ケース５は、６つの電池８９を収納可能である（図４参照）。電池ケース５及びその周辺構造の詳細については後述する。
【００２２】
図１及び図２を参照して、テープカセット３０について説明する。テープカセット３０は、内部に収納されるテープの種類、及び、インクリボンの有無などを適宜変更することによって、前述のサーマルタイプ、レセプタタイプ、ラミネートタイプ、チューブタイプ等に実装可能な汎用カセットである。図２では、一例として、レセプタタイプに実装されたテープカセット３０を示している。
【００２３】
図１に示すように、テープカセット３０は、その筐体であるカセットケース３１を備えている。カセットケース３１は、全体としては平面視で丸みを帯びた角部を有する略長方体状（箱型）である。カセットケース３１は、上ケース３１１と下ケース３１２とを含む。下ケース３１２は、カセットケース３１の底面３０２を形成する底板３０６を含む。上ケース３１１は、カセットケース３１の上面３０１を形成する上板３０５を含み、下ケース３１２の上部に固定される。
【００２４】
カセットケース３１は、テープカセット３０のテープ種類にかかわらず、同一の幅（上下方向の長さが同一）に形成された４つの角部３２１〜３２４を有する。以下の説明では、左後方の角部を第一角部３２１、右後方の角部を第二角部３２２、右前方の角部を第三角部３２３、左前方の角部を第四角部３２４という。第一〜第三角部３２１〜３２３は、平面視で直角をなすようにカセットケース３１の側面から外側方向に突出している。第四角部３２４は、テープカセット３０から排出されるテープを案内する排出案内部４９が角に設けられているため、直角をなしていない。角部３２１〜３２３の下面は、テープカセット３０がカセット装着部８に装着されたときに、角支持面８３に配置されたリブ（図示外）によって支持される部位である。
【００２５】
カセットケース３１には、カセットケース３１内に装着されるスプール類を回転可能に支持するための４つの支持孔６５〜６８が設けられている。以下の説明では、カセットケース３１の左側後部、右側後部、右側前部に設けられた孔部を、それぞれ、第一テープ支持孔６５、第二テープ支持孔６６、リボン支持孔６７という。平面視で第一テープ支持孔６５とリボン支持孔６７との間に設けられた孔部を、巻取スプール支持孔６８という。
【００２６】
第一テープ支持孔６５は、第一テープスプール４０（図２参照）を回転可能に支持する。リボン支持孔６７は、リボンスプール４２（図２参照）を回転可能に支持する。巻取スプール支持孔６８は、リボン巻取スプール４４を回転可能に支持する。図２に示すように、レセプタタイプのテープカセット３０の場合、第一テープスプール４０には、印字テープ５７が巻回される。印字テープ５７は、第一テープスプール４０から引き出され、排出スリット１１１に向けて案内される。リボンスプール４２には、インクリボン６０が巻回される。リボン巻取スプール４４は、印字に使用された後のインクリボン６０を巻き取る。図示しないが、例えば、カセットケース３１がラミネートカセットに実装される場合、第二テープ支持孔６６は、印字媒体であるフィルムテープが巻回された第二テープスプールを回転可能に支持する。
【００２７】
電池ケース５について詳述する。なお、図５において、正極端子５８１と負極端子５８２との形状を示すために、電池ケース５は簡略化して示している。図３に示すように、電池ケース５は、電池装着面５１と周壁部５２とを備えており、前方に向かって凹む凹状に形成されている。電池装着面５１は、凹状の電池ケース５の底面（前方に凹んだ部分の後側の面）を形成する左右方向に長い矩形状の面である。図４に示すように、電池ケース５に６つの電池８９が装着された状態では、電池８９は左右方向に並んでおり、前後方向にジグザグに配置されている。図３に示すように、電池装着面５１は、装着される電池８９の形状に対応する前後方向の凹凸を有する。周壁部５２は、電池装着面５１の周囲に後方に向かって立設されている。周壁部５２の後端部は、電池装着面５１に対向する開口部５３を形成する。
【００２８】
開口部５３は、図示外の電池カバーによって覆われており、電池カバーが取り外された場合に、電池ケース５がテープ印字装置１の外部に露出する。なお、電池カバーは、電池ケース５の左右の端部によって着脱可能に支持される。
【００２９】
周壁部５２は、電池ケース５に収納される電池８９の正極８９１（図４参照）に接触可能な正極端子５８１、及び、電池８９の負極８９２（図４参照）に接触可能な負極端子５８２を支持する。正極端子５８１は、上下方向に平らな渦巻き状に形成されている。負極端子５８２は、渦巻状に電池ケース５の内側に突出する。負極端子５８２のうち、電池８９の負極８９２に接触可能な部位を接触部５８３という（図５参照）。本実施形態では、接触部５８３は、電池ケース５の内側に向かう方向の負極８９２の先端を含む部位である。
【００３０】
図３及び図５に示すように、正極端子５８１と負極端子５８２とは、上下方向に対向して周壁部５２の内側に６組設けられている。より詳細には、周壁部５２のうち、上側の壁部５２１（図３参照）には、右側から左方向に、負極端子５８２、正極端子５８１、負極端子５８２、正極端子５８１、負極端子５８２、及び正極端子５８１の順に配置されている。正極端子５８１の中心（下側から見た場合の中心）の前後方向の位置は、負極端子５８２の中心の前後方向の位置より後側である。図５に示すように、上側の３つの正極端子５８１及び３つの負極端子５８２のうち、左側の正極端子５８１及び負極端子５８２は、互いに連結されている。中央の正極端子５８１及び負極端子５８２は、互いに連結されている。右側の正極端子５８１及び負極端子５８２は、互いに連結されている。
【００３１】
図３に示すように、壁部５２１は、上端壁５２１Ａと支持部５２１Ｂとを備えている。上端壁５２１Ａは、壁部５２１の上端をなす壁部であり、左右方向に延びる。支持部５２１Ｂは、上端壁５２１Ａから下方に向けて立設されて、その下端部が正極端子５８１と負極端子５８２とに向かって延びる。支持部５２１Ｂの下端部と上端壁５２１Ａとの間の隙間によって、３つの正極端子５８１と３つの負極端子５８２との夫々の左右の端部と前端部とが支持される。
【００３２】
図６に示すように、周壁部５２のうち、下側の壁部５２２には、壁部５２１側の３つの負極端子５８２に対向する３つの正極端子５８１と、壁部５２１側の３つの正極端子５８１に対向する３つの負極端子５８２とが配置されている。負極端子５８２の中心（上側から見た場合の中心）の前後方向の位置は、正極端子５８１の中心の前後方向の位置より後側である。
【００３３】
壁部５２２は、下端壁５２２Ａと支持部５２２Ｂとを備えている。下端壁５２２Ａは、壁部５２２の下端をなす壁部であり、左右方向に延びる。支持部５２２Ｂは、下端壁５２２Ａから上方に向けて立設されて、その上端部が正極端子５８１と負極端子５８２とに向かって延びる。支持部５２２Ｂの上端部と下端壁５２２Ａとの間の隙間によって、３つの正極端子５８１と３つの負極端子５８２との夫々の左右の端部と前端部とが支持される。
【００３４】
図３及び図６に示すように、上端壁５２１Ａ及び下端壁５２２Ａにおける電池ケース５の内側の面には、内側に向かって突出する凸状の規制部５２５が設けられている。規制部５２５は、負極端子５８２の後側に位置している。規制部５２５は、周壁部５２の前側に向かうほど電池ケース５の内側に突出する斜面５２５Ａと、斜面５２５Ａの前端部から電池ケース５の外側方向に向けて延びる壁面５２５Ｂとを備えている（図８参照）。テープ印字装置１の製造時において、負極端子５８２が電池ケース５に装着される場合、負極端子５８２は、電池ケース５の後側から前方向に挿入され、左右の端部が支持部５２１Ｂ，５２２Ｂと壁５２１Ａ，５２２Ａとの間の隙間で支持されながら、負極端子５８２の弾性によって撓んで規制部５２５の斜面５２５Ａを昇る。負極端子５８２が斜面５２５Ａを通過すると、負極端子５８２の撓みが解消され、負極端子５８２の後端部は規制部５２５の壁面５２５Ｂに当接する（図８参照、図９では図示外）。このため、負極端子５８２は、壁面５２５Ｂと支持部５２１Ｂ，５２２Ｂとの間に挟まれ、前後方向の移動が規制される。
【００３５】
図３に示すように、上端壁５２１Ａには、３つのスリット５２６が設けられている。スリット５２６は、上端壁５２１Ａを上下方向に貫通した開口部であり、上端壁５２１Ａの後端から規制部５２５に向かって前後方向に延びる。上端壁５２１Ａ側の規制部５２５の後端部は、スリット５２６が配置されたことによって前方に向けて切欠かれている。
【００３６】
第一庇部２５１及び第二庇部２５２について説明する。以下の説明では、電池装着面５１から開口部５３に向かう後方向を「第一方向」という場合があり、第一方向に直交する上下方向を「第二方向」という場合がある。また、第一庇部２５１、第二庇部２５２を総称する場合、又はいずれかを特定しない場合、「庇部２５」という場合がある。
【００３７】
図７〜図９に示すように、負極端子５８２の接触部５８３（図８及び図９参照）に対して第一方向側には、第一庇部２５１及び第二庇部２５２が設けられている。第一庇部２５１は、上端壁５２１Ａの負極端子５８２の第一方向側に設けられた庇部である。第二庇部２５２は、下端壁５２２Ａの負極端子５８２の第一方向側に設けられた庇部である。図３に示すように、第一庇部２５１は、上カバー２０１の後端部に設けられている。図６に示すように、第二庇部２５２は、下カバー２０２の後端部に設けられている。図７〜図８に示すように、第一庇部２５１と第二庇部２５２とは、第二方向において、周壁部５２の内側に突出する。
【００３８】
図８に示すように、第一庇部２５１は、第一方向に延びる第一壁部２５１Ａと、第一壁部２５１Ａと直交して左右方向に延びる第二壁部２５１Ｂとを備えている。第一壁部２５１Ａは、第二方向に開口するスリット５２６に差し込まれて周壁部５２の内側に突出している。第二壁部２５１Ｂは背面視台形状であり、下端部の左右方向の幅が上端部の左右方向の幅より短い（図７参照）。第二庇部２５２は、周壁部５２の上側に位置し、周壁部５２の内側に突出する。図７及び図９に示すように、第二庇部２５２は、平面視台形状であり、上端部の左右方向の幅が下端部の左右方向の幅より短い。第二庇部２５２の上面には、２つのリブ２５２Ａが接続されている（図９参照）。リブ２５２Ａは、下端壁５２２Ａから上方に延び、上方に向かうほど漸減している。リブ２５２Ａが設けられていることによって、リブ２５２Ａが設けられていない場合に比べて、第二庇部２５２の強度が大きくなる。
【００３９】
以上のように、本実施形態におけるテープ印字装置１が形成される。本実施形態では、図７に示すように、第一庇部２５１及び第二庇部２５２は、負極端子５８２の後側（図７の表面側）に位置している。このため、電池８９の正極８９１と負極８９２とが逆になった状態で、電池８９が電池ケース５に装着される場合に、第一庇部２５１と第二庇部２５２の後面（図７の表面側の面）が電池８９に当接し、電池８９が逆接続されることを防止できる。また、電池８９が後側から負極端子５８２を押すことが、第一庇部２５１と第二庇部２５２とによって防止されるので、負極端子５８２が前方に向かって変形することを防止できる。
【００４０】
また、図３に示すように、第一庇部２５１を有する上カバー２０１及び第二庇部２５２を有する下カバー２０２は、電池ケース５とは別体で形成される。このため、電池ケース５は、第一庇部２５１及び第二庇部２５２とは異なる金型で形成される。よって、電池ケース５の底面を形成する電池装着面５１に、第一庇部２５１及び第二庇部を形成するために金型が配置される孔部が形成されることを防止できる。故に、電池ケース５内に液体が侵入した場合、又は電池８９が液漏れした場合に、液体が第一庇部２５１及び第二庇部２５２を形成するための孔部を通って電池ケース５以外の部位に漏れることを防止できる。
【００４１】
なお、電池ケース５には規制部５２５が設けられているので、規制部５２５の壁面５２５Ｂを形成するために金型を配置する孔部が電池装着面５１側に形成される場合がある。しかし、規制部５２５を形成するための孔部は、第一庇部２５１及び第二庇部２５２を形成するための孔部より小さいので、第一庇部２５１及び第二庇部２５２を形成するための孔部が形成される場合に比べて、液体が電池ケース５以外の部位に漏れる可能性を低減できる。
【００４２】
また、第一庇部２５１が形成される上カバー２０１は、カセット装着部８としての機能と、テープ印字装置１の外装壁を形成する機能とを有する。第二庇部２５２が形成される下カバー２０２は、テープ印字装置１の外装壁を形成する機能を有する。すなわち、庇部２５は、電池８９の収納に関する機能とは異なる機能を有する上カバー２０１及び下カバー２０２とに形成される。このため、第一庇部２５１と、カセット装着部８及びテープ印字装置１の外装壁とを別々に形成する場合に比べてコストダウンすることができる。また、第二庇部２５２と、テープ印字装置１の外装壁とを別々に形成する場合に比べてコストダウンすることができる。
【００４３】
前述したように、電池ケース５には、規制部５２５が形成される。規制部５２５の壁面５２５Ｂ（図８参照）を形成する場合には、壁面５２５Ｂの前方に位置する電池装着面５１の部位に、壁面５２５Ｂを形成するために金型を配置する孔部が形成される。仮に、庇部２５とは異なる庇部（以下、「他の庇部」という。）を電池ケース５と一体で形成する場合、壁面５２５Ｂと他の庇部の前面とを、電池装着面５１側から金型で形成する必要があるので、規制部５２５と他の庇部とを前後方向に並べて形成することはできない。この場合、他の庇部は、規制部５２５の左右方向側に設ける必要がある。すなわち、負極端子５８２の左右方向の中心位置の第一方向側（後側）には、庇部２５が位置しない。よって、電池８９の正極８９１と負極８９２とが逆接続されることを他の庇部によって防止しきれない場合がある。また、電池８９の逆接続を防止するためには、電池８９の左右方向の幅より狭い範囲に規制部５２５と他の庇部とを形成する必要がある。このため、他の庇部を形成するスペースが制限され、十分な強度のある他の庇部が形成できない場合がある。よって、他の庇部が折れたり、曲がったりする場合がある。なお、規制部５２５と他の庇部とを電池ケース５に形成する場合について説明したが、規制部５２５ではなく、他の形状で負極端子５８２を支持又は負極端子５８２の移動を規制する部材と、他を庇部とを電池ケース５に形成する場合も同様である。
【００４４】
本実施形態では、庇部２５が電池ケース５とは別体で形成されるので、規制部５２５と庇部２５とを前後方向に並べて配置することができる（図８及び図９参照）。このため、庇部２５は、負極端子５８２の接触部５８３に対して第一方向側に位置する。よって、電池８９の正極８９１と負極８９２とが逆接続されることを庇部２５によってより確実に防止できる。また、庇部２５が電池ケース５とは別体で形成されているので、庇部２５を形成するスペースが制限されることなく、庇部２５の形状を任意の形状にすることができる。このため、十分な強度のある庇部２５を形成することができる。よって、庇部２５が折れたり、曲がったりすることを防止できる。
【００４５】
また、図８に示すように、第一庇部２５１は、第一壁部２５１Ａと第二壁部２５１Ｂとを備えている。電池８９の正極８９１と負極８９２とが逆になった状態で、電池８９が電池ケース５に配置される場合、第一方向の反対側（前側）に向かって電池８９が移動する。このとき、電池８９は、第一庇部２５１の第二壁部２５１Ｂに当たる。第一庇部２５１の第一壁部２５１Ａは、第一方向側に延びているので、第一方向、及び第一方向の反対方向に力が加えられた場合の強度が強い。よって、第一壁部２５１Ａは、電池８９が第二壁部２５１Ｂに当たった場合に、第二壁部２５１Ｂを支持することができる。よって、第一壁部２５１Ａが設けられていない場合に比べて第一庇部２５１の強度が強くなり、電池８９の正極８９１と負極８９２とが逆接続されることをより確実に防止できる。
【００４６】
また、第一庇部２５１の第一壁部２５１Ａは、スリット５２６に差し込まれている。これによって、上カバー２０１と電池ケース５とが位置決めされる。よって、テープ印字装置１の製造時における、上カバー２０１と電池ケース５とを接続する作業効率が向上する。
【００４７】
また、庇部２５は負極端子５８２の第一方向側の端部に近接する。このため、庇部２５によって負極端子５８２が第一方向側に抜けることが防止される。
【００４８】
上記実施形態において、上カバー２０１の第一庇部２５１、下カバー２０２の第二庇部２５２、電池ケース５、及び負極端子５８２を含む、電池８９を収納する構造は本発明の「電池収納構造」の一例である。電池装着面５１は本発明の「底面部」の一例である。開口部５３は本発明の「第一開口部」の一例である。電池ケース５は本発明の「電池収納部」の一例である。負極端子５８２は本発明の「電池端子」の一例である。上カバー２０１及び下カバー２０２は本発明の「機能部材」の一例である。第一庇部２５１及び第二庇部２５２は本発明の「庇部」の一例である。スリット５２６は本発明の「第二開口部」の一例である。
【００４９】
なお、本発明は上記の実施形態に限定されるものではなく、種々の変更が可能である。例えば、周壁部５２にはスリット５２６が形成され、第一庇部２５１の第一壁部２５１Ａが差し込まれていた。しかし、例えば、周壁部５２には、第一庇部２５１全体の形状に対応する開口部が設けられ、この開口部に第一庇部２５１全体が差し込まれ、周壁部５２の内側に突出してもよい。同様に、周壁部５２に第二庇部２５２の形状に対応する開口部が設けられ、この開口部に第二庇部２５２が差し込まれて、周壁部５２の内側に突出してもよい。また、周壁部５２には、スリット５２６が設けられず、庇部２５がスリット５２６に差し込まれなくてもよい。また、第一庇部２５１は、第一壁部２５１Ａを備えていなくてもよい。
【００５０】
また、庇部２５は、上カバー２０１及び下カバー２０２に設けられていた。しかし、庇部２５は、電池８９の収納に関する機能とは異なる機能を有する部材に設けられればよく、他の部材に設けられてもよい。例えば、テープ印字装置１の電気基板（図示外）を支持する部材に連接して庇部が設けられてもよい。
【００５１】
また、本発明の電池収納構造を有するのはテープ印字装置１であったが、電池を収納可能な他の種々の装置及び部材であってもよい。例えば、モバイル機器に外付けして電源をモバイル機器に供給可能な電池収納部材に本発明の電池収納構造が設けられていてもよい。この場合、例えば、電池収納部材には、電池ケースと、外装カバーとが設けられ、庇部が外装カバーによって形成されてもよい。また、庇部２５は、負極端子５８２の第一方向側に位置していたが、正極端子５８１の第一方向側に位置していてもよい。
【００５２】
また、庇部２５は負極端子５８２の第一方向側の端部に近接していたが、庇部２５と負極端子５８２とは本実施形態の場合より離間していてもよい。また、庇部２５は負極端子５８２の第一方向側の端部に当接してもよい。図１０に示す変形例に係るテープ印字装置１０１では、図８に示すテープ印字装置１とは異なり、規制部５２５が設けられてない。そして、第一庇部２５１の第一壁部２５１Ａの前端が、負極端子５８２の第一方向側の端部である後端に当接している。図示しないが、同様に、第二庇部２５２の前端が負極端子５８２の後端に当接してもよい。これらの場合でも、第一庇部２５１及び第二庇部２５２によって、負極端子５８２が第一方向側に抜けることを防止できる。また、テープ印字装置１０１では、規制部５２５が設けられていないので、規制部５２５の壁面５２５Ｂを形成するために金型を配置する孔部が電池装着面５１に形成されない。よって、電池ケース５内に液体が侵入した場合、又は電池８９が液漏れした場合に、液体が壁面５２５Ｂを形成するための孔部を通って電池ケース５以外の部位に漏れることを防止できる。規制部５８２など、負極端子５８２を電池ケース２に固定する部位を形成するための金型構造を省くことができるので、金型を簡素化できる。
【符号の説明】
【００５３】
１，１０１    テープ印字装置
５    電池ケース
８    カセット装着部
２５    庇部
３０    テープカセット
５１    電池装着面
５２    周壁部
５３    開口部
５７    印字テープ
８９    電池
２０１    上カバー
２０２    下カバー
２５１    第一庇部
２５１Ａ    第一壁部
２５１Ｂ    第二壁部
２５２    第二庇部
２５３    接触部
５２６    スリット
５８１    正極端子
５８２    負極端子
８９１    正極
８９２    負極
【図１】
2014232670.tif 000003
【図２】
2014232670.tif 000004
【図３】
2014232670.tif 000005
【図４】
2014232670.tif 000006
【図５】
2014232670.tif 000007
【図６】
2014232670.tif 000008
【図７】
2014232670.tif 000009
【図８】
2014232670.tif 000010
【図９】
2014232670.tif 000011
【図１０】
2014232670.tif 000012